(57)【特許請求の範囲】
【請求項１】
ファンホイール（１３）とエンジン（１１）とを具備する操作員の背中に担持される内燃機関駆動のリーフブロワ装置であって、リーフブロワが操作員の背中の正規位置にある時エンジン（１１）の始動装置（２０）が操作員の背中に対面するファンホイール（１３）の側面に配置されており、
始動装置（２０）がファンホイール（１３）に対するハブ（１５）の中に配置されていることを特徴とするリーフブロワ装置。
【請求項２】
ファンホイール（１３）がリング形状のファン出口（１４）によって取巻かれまた始動装置（２０）がリング形状のファン出口（１４）の前縁の内部に位置するような形状となっていることを特徴とする請求項１に記載のリーフブロワ装置。
【請求項３】
始動装置（２０）がエンジン（１１）をファンホイール（１３）に連結するシャフト（１２）に作用することを特徴とする請求項１又は２に記載のリーフブロワ装置。
【請求項４】
始動装置（２０）がロープホイール（２２）に巻かれた始動ロープ（２３）と始動ロープ（２３）の端部の始動ハンドル（２４）とを具備していることを特徴とする請求項１から３のうちの１項に記載のリーフブロワ装置。
【請求項５】
始動装置（２０）が、始動ロープ（２３）と始動ハンドル（２４）とがシャフト（１２）から半径方向外側に向う方向に向けられまた始動ロープ（２３）がロープ案内手段（２５）を介してリーフブロワの側面に導かれるように取付けられていることを特徴とする請求項４に記載のリーフブロワ装置。
【請求項６】
始動ロープ（２３）と始動ハンドル（２４）とが、リーフブロワが操作員の背中の正規位置にある時操作員が始動ハンドル（２４）に手がとどくことができるように配置されていることを特徴とする請求項４又は５に記載のリーフブロワ装置。
【発明の詳細な説明】
【０００１】
【発明の属する技術分野】
内燃機関で駆動されるリーフブロワは多種類の作業にますます用いられるようになっている。リーフブロワが用いられる区域の数は増大しておりリーフブロワは古風のほうきに取替えられている。リーフブロワは例えば駐車場、舗道、芝地及び歩道のような大きな面積の清掃のための効率的で時間を要しない器具である。
【０００２】
【従来の技術】
リーフブロワは大きな面積を容易に清掃するのを可能にする。従来の用具で区域を清掃している間は駐車場に駐車している自動車のために清掃されない部分が生じることになる。同じ区域をリーフブロワで清掃した場合は駐車した自動車の下側のごみを吹き飛ばすことができ、そのため効率を増し時間を節約しまた効果が向上するものとなる。
【０００３】
リーフブロワは操作員が大きな面積を清掃するのを助ける効率的な器具であるが、操作員はリーフブロワを背中に担持し長く移動しなければならない。現在市場で入手可能なリーフブロワは大きくて重く器具の重心は操作員の背中から大きな距離に位置している。これはリーフブロワが操作員の背中に担持された時操作員に大きな荷重を負わせることになる。この型の器具はまた大きな騒音を発生し、このため操作員と器具の近くに位置する他の人とにとって我慢できないものとなる。
【０００４】
リーフブロワの重量は操作員にとって作業条件を生み出す単なるパラメータではない。器具の重心は操作員と器具の設計と操作員が器具の制御のために用いるエンジンの始動及び停止のような様々な制御とに作用するもう１つのパラメータである。
【０００５】
従来のリーフブロワはファンと操作員の背中に向って配置されたファンホイールとパイプで構成された支持フレームとを有している。ファンへの空気は操作員の背中に向って対面するファンホイールの側面に配置された空気入口の中に吸引される。これはファン入口と操作員との間に５〜１０センチメートルの間隔を設け十分な空気が入口を通過できるのを保証する必要のあることを意味している。ファンの他側にはファンを駆動するエンジンとリーフブロワの中に他の全ての構成部品と一緒に置かれたエンジンのための始動装置とが位置している。始動装置はファンホイールを駆動する車軸の延長上に配置されておりこれは始動装置の位置が、リーフブロワが操作員の背中の正規位置にある時操作員の背中から遠く離れていることを意味する。この方式は作動するが器具の重心が操作員から極めて長い距離に置かれることになる。この距離はリーフブロワを重くしまた取扱いを複雑にする。
【０００６】
エンジンの外側に配置された始動装置はまた操作員にとってリーフブロワが操作員の正規位置にある時手がとどかなくなる。これは操作員がリーフブロワをその背中の位置から取外さずにエンジンを始動することをできなくする。これは操作員が器具を下ろし始動させまた器具が運転されている時はこれを再び正規位置に置かなければならないことを意味する。これらの工程は操作員にとって重労働となる。
【０００７】
上記の型のリーフブロワのエンジンは一方の方向でファンが連結され他の方向で始動装置に連結されている車軸を有するようになっている。この方式は高価となり製造が複雑となる。
【０００８】
【発明が解決しようとする課題】
リーフブロワの構造と操作員に課せられる荷重が軽減されるよう改良することができる。
【０００９】
本発明は器具の重心と操作員の背中との間の距離を減少させまた操作員が始動装置を制御する始動ハンドルに手がとどくのを著しく容易にする。
【００１０】
【課題を解決するための手段】
従来型の始動装置はロープホイールに取付けられたロープの端にハンドルを有している。ロープホイールはエンジンからの車軸に連結されている。エンジンが始動される時操作員は始動ハンドルを掴みこれを引きそれにより車軸が回転されエンジンがスタートするようにする。ロープがそれからロープホイールを逆に回転させるスプリングによってロープホイール上に巻かれる。
【００１１】
請求の範囲によって規定される始動装置は従来技術で公知の装置とはリーフブロワが操作員の正規位置にある時操作員に対面しているファンホイールの側面上に配置される点で相違している。始動装置はリング形状のファン出口がファンホイールより広いためにファン出口の内部に形成される空間の中のファンホイールのハブに配置されている。
【００１２】
上記の方式はいくつかの構成部品が操作員の背中により接近して置かれているためリーフブロワの重心を操作員の背側により近く移動させる。
【００１３】
始動装置にとってのこの新しい位置はロープを始動装置から引出し操作員が器具を背中の位置から取外す必要なしにハンドルに手がとどくことのできるリーフブロワの側面に動かすことができるようにする。ハンドルの位置はロープとハンドルとが始動装置から任意の半径方向に位置することができるため変化することができる。適当な位置は操作員がその右手でハンドルにとどくことができるようになっている。
【００１４】
始動装置のこの型式の他の利点はエンジンをファンに連結するシャフトと始動装置とがエンジンから２つの方向に延ばす必要がないことである。
【００１５】
【発明の実施の形態】
請求の範囲に記載された発明の１つの実施態様が以下の図面に示されている。
【００１６】
図１に始動装置とファンの断面図が示されている。エンジンはシャフト１２でファンホイール１３に連結されている。ファンホイール１３はファンホイール１３の周縁の周りに配置されたリング形状のファン出口１４によって取巻かれている。リング形状のファン出口１４には対の固定手段１６が設けられそれにより上記の構成部品を器具のための支持フレームに取付けることができるようにする。ファンホイール１３は始動装置２０がハブ１５の内部にファンホイール１３に対して配置されるような形状となっている。
【００１７】
始動装置２０は取巻きケーシング２１の内部に配置されたロープホイール２２を含んでいる。始動装置２０はエンジン１１に対してファンホイール１３の反対側でシャフト１２に連結される。始動装置２０はまたロープホイール２２に巻かれた始動ロープ２３と始動ロープ２３に取付けられた始動ハンドル２４とを含んでいる。エンジン１１を始動させるため始動ハンドル２４が外側に向って引かれそれにより始動ロープ２３がシャフト１２を回転させエンジン１１が始動する。始動ロープ２３は次にロープホイール２３を逆方向に回転させる図示しないスプリングによりロープホイール２２上に巻かれる。始動装置２０はまた始動ロープ２３が通されるロープ案内装置２５を有している。ハンドル２４はついでリング形状のファン出口１４の周縁に接近して置かれそれによりリーフブロワが操作員の背中の上に置かれた時ハンドル２４に操作員の手がとどくようにする。
【００１８】
図３には取巻きケーシング３０が設けられたリーフブロワが示されている。操作員が始動装置の修理を容易に行うためケーシング３０にはリーフブロワが操作員の背中の正規位置にある時操作員の背側に向いているケーシング３０の側面の近くに配置される開口３１が設けられる。
【００１９】
始動ロープ２３はケーシング３０を通過しそしてリーフブロワが操作員の背中の上に置かれた時に操作員が始動ハンドルに手がとどくように置かれる。
【図面の簡単な説明】
【図１】操作員の背側の方に向いている側から見た始動装置としてファンを示す図である。
【図２】リーフブロワのファンと始動装置の中心を通る断面を示す図である。
【図３】操作員の背側に向けられたカバーケーシングを有するリーフブロワの側面を示す図である。
【符号の説明】
１１…エンジン
１２…シャフト
１３…ファンホイール
１４…ファン出口
１５…ハブ
２０…始動装置
２１…取巻きケーシング
２２…ロープホイール
２３…始動ロープ
２４…始動ハンドル
２５…ロープ案内装置
３０…取巻きケーシング
３１…開口
【図１】
0004242603.tif 000002
【図２】
0004242603.tif 000003
【図３】
0004242603.tif 000004